(57)【要約】【課題】  胴ベルト部３２のずれ上がりを防止し、尻掛けベルト１自体のずれを防止し、かつ尻掛けベルト１の装着性を向上する。【解決手段】  尻掛けベルト１に作業者の両足の大腿部を固定できる腿掛けベルト部１８を追加し、ベルト１１と腿掛けベルト部１８の腿用ベルト１６、１７を重縫合した部分にパッド１４を縫着固定することにより、胴ベルト部３２のずれ上がり防止機能、及び尻掛けベルト自体のずれ防止機能を有し、かつ装着性を良くするものである。さらに、万が一の落下時の衝撃荷重を腰と両足の大腿部に分散させ人体へのダメージを低減させるものである。【選択図】  図３
2011024838.tif 000002
【特許請求の範囲】
【請求項１】
作業者に装着される柱上安全帯の尻掛けベルト(１)であって、
ベルト(１１)と、
このベルト(１１)の長さを作業者の体型に合わせて調節可能な調節金具(１２)と、
このベルト(１１)の両端に、柱上安全帯(３)のリング(３２１)、(３２１)に掛止可能な尻掛け用フック(１３)、(１３)と、
を備え、
前記ベルト(１１)の端部近傍に、着脱可能なバックル(２)、(２)の片方の金具であるバックル本体(２１)、(２１)を備えた腿用ベルト(１６)、(１６)を縫着し、
前記ベルト(１１)の端部近傍に、着脱可能なバックル(２)、(２)の他方の金具である差込プレート(２２)、(２２)と、ベルト長さの調節が可能なバックル把持金具(２３)、(２３)とを備えた腿用ベルト(１７)、(１７)を縫着し、
前記バックル(２)により、腿用ベルト(１６)と腿用ベルト(１７)が、作業者の股部より腿を巻き込んで連結が可能であり、
前記ベルト(１１)と腿用ベルト(１６)、(１６)及び腿用ベルト(１７)、(１７)の重縫合部に、更にパッド(１４)、(１４)を縫着したことを特徴とする尻掛けベルト。
【発明の詳細な説明】
【技術分野】
【０００１】
本発明は、主として高所作業において使用する安全帯に関するものであり、特には体重を預けて作業を行うときに使用する柱上安全帯用の尻掛けベルトに関する。
【背景技術】
【０００２】
高所の電気工事において、作業者は柱上安全帯を装着し、両側腰部に位置する環の一方に連結したロープで構築物を抱き込み、ロープ先端のフックを他方の環に係止して、構築物との間にＵ字状の体勢保持を行い、両手を自由として作業を行うものである。このように、柱上安全帯によって構築物と連結されて、万が一足を踏み外した場合の墜落を防止している。
【０００３】
図５は、柱上安全帯３に従来の尻掛けベルト３１を組み合わせた正面図である。図５に示すように、柱上安全帯３は、バックル３２２、ベルト３２３及びＤ環３２４等から成り腰部に巻き付ける胴ベルト部３２と、ロープ３３１、フック３３２及びロープ長さを調節する伸縮調節器３３３等から成り、構築物と胴ベルト部３２を連結するランヤード３３より構成される。
前記胴ベルト部３２とランヤード３３で、墜落防止の主目的は達成できるが、柱上安全帯３を長時間着用して作業を行う作業者は、より快適に作業を行うため、尻掛けベルト３１を使用している。この尻掛けベルト３１を使用することにより、作業者がランヤード３３に体重を預けた場合の体重を胴ベルト部３２と尻掛けベルト３１に分散させ、体重の腰部への局部集中を回避して、楽に作業が行える。例えば、長時間の宙乗り作業を行うことが多い送電線の工事等において、ブランコのように腰掛け姿勢で作業が行えることにより、作業者の腰部への負担を軽減している。
【０００４】
特に送電線の工事においては、鉄塔に昇塔後に電線の上に乗り移り作業を行う「宙乗り作業」が多いため、上記尻掛けベルト３１付きの柱上安全帯３が使用されている。しかしながら、宙乗り作業時に体勢を崩した場合、胴ベルト部３２がずれ上がり、体勢を立て直せないことがある。また作業中に尻掛けベルト３１への体重の付加と解除を繰り返すとき、尻掛けベルト３１と臀部との接触部分がずれ、作業性の悪い場合がある。
【０００５】
従来の柱上安全帯用尻掛けベルトとしては、実開平６−２９５５２号のものがある。
これは、尻掛けベルト用の掛止具の改良により、尻掛けベルト使用時の腰痛防止と長時間作業が出来ることを目的としたものであり、従来から尻掛けベルト使用時の不快感を取り除くために、様々な対策が考案されている。
しかしながら前記従来品には、胴ベルト部３２のずれ上がり防止機能、及び尻掛けベルト自体のずれ防止機能は有していない。
【先行技術文献】
【特許文献】
【０００６】
【特許文献１】実開平６−２９５５２号公報
【発明の概要】
【発明が解決しようとする課題】
【０００７】
本発明が解決しようとする主な問題点は、従来の尻掛けベルト３１では、作業時に上方の構築物を抱き込んだランヤード３３によりＤ環３２４を介し腰部に巻いた胴ベルト部３２が引かれ、胸の方へずれ上がる現象が生じる点、及び作業中に尻掛けベルト３１自体のずれが生じる点である。
【０００８】
またベルトを縫合する場合、複数のベルトを縫製した部分は非常に厚く硬くなり折り曲がらないため、このベルト重縫合部の厚く硬くなった部分が作業者の体重の加わる臀部等に接触したとき、装着性が悪くなる。また、バックルのような金具が作業者の体重の加わる臀部等に接触する場合においても、同様に装着性が悪くなる。
【０００９】
そこで本発明は、胴ベルト部３２のずれ上がり防止機能、及び尻掛けベルト自体のずれ防止機能を有し、かつ装着性の良い尻掛けベルトの提供を目的としている。
【課題を解決するための手段】
【００１０】
本発明は、尻掛けベルトに作業者の両足の大腿部を固定できる腿掛けベルト部を追加し、尻掛けベルトのベルトと腿掛けベルト部の腿用ベルトを重縫合した部分にパッドを縫着固定した構造のものである。
【発明の効果】
【００１１】
腿掛けベルト部１８により、作業時に上方の構築物を抱き込んだランヤード３３によりＤ環３２４を介し腰部に巻いた胴ベルト部３２が引かれ、胸の方へずれ上がる現象を防止でき、安全性が向上する。また、作業中に尻掛けベルト３１自体がずれて移動することがなく、装着性が向上する。また、ハーネス型安全帯が、万が一の落下時の衝撃荷重を腰と両足の大腿部に分散させ人体へのダメージを低減できるように、この腿掛けベルト部１８により、万が一の落下時の衝撃荷重を腰と両足の大腿部に分散させる効果がある。
【００１２】
前記ベルト１１と腿用ベルト１６、１６及び腿用ベルト１７、１７の重縫合部、並びに前記バックル２、２の金具部分と、作業者の臀部との間に、パッド１４、１４を介在させることにより、作業者の体重の加わる臀部等に対するクッションとなり、装着性向上の効果がある。
【図面の簡単な説明】
【００１３】
【図１】図１は、本発明の実施形態に係る尻掛けベルト１が示された上面図及び正面図である。
【図２】図２は、腿用ベルト１７が差込プレート２２及びバックル把持金具２３に挿通された状態を示す正面図及び側面の断面図である。
【図３】図３は、腿用ベルト１６、１６と、腿用ベルト１７、１７がバックル２、２により連結された状態を示す正面図である。
【図４】図４は、作業者が本発明の尻掛けベルト１を装着した状態を示す側面図及び正面図である。
【図５】図５は、柱上安全帯３に従来の尻掛けベルト３１を組み合わせた正面図である。
【図６】図６は、作業者が従来の尻掛けベルト３１を装着した状態を示す側面図である。
【発明を実施するための形態】
【００１４】
以下、図面を参照しつつ本発明に係る柱上安全帯の尻掛けベルト１の実施例について説明する。図１(ａ)及び図１(ｂ)は、本発明の実施形態に係る尻掛けベルト１が示された上面図及び正面図である。この尻掛けベルト１は、ベルト１１と、調節金具１２と、ベルト連結金具１２１と、尻掛け用フック１３、１３と、パッド１４、１４と、腿用ベルト１６、１６と、腿用ベルト１７、１７と、バックル本体２１、２１と、差込プレート２２、２２と、バックル把持金具２３、２３と、を備えている。
【００１５】
図１(ａ)及び図１(ｂ)に示すように、ベルト１１はその長手方向の両端が尻掛け用フック１３、１３の端部の長孔に挿通されて折り返され、腿用ベルト１６、１６と、腿用ベルト１７、１７とパッド１４、１４と共に重縫合されている。またベルト１１は、その長手方向の中央部付近で、調節金具１２の一方の長孔に挿通された後、他方の長孔に再び挿通され、ベルト連結金具１２１の長孔に挿通されて折り返され、調節金具１２の他方の長孔に挿通されて折り返されて、その折り返し部分を縫製されている。図１(ｂ)における縫製糸１５は、その縫製パターンの一例を示している。
【００１６】
上記調節金具１２によりベルト１１の長さが調節可能であり、作業者は自分の臀部の体型に合わせて、装着時における尻掛けベルト１の長さを調節する。また、上記尻掛け用フック１３、１３は、図５に示す柱上安全帯３のリング３２１、３２１に掛止可能な構造となっている。
【００１７】
図１(ａ)及び図１(ｂ)に示すように、腿用ベルト１６はバックル本体２１の長孔に挿通されて折り返され、ベルト１１、腿用ベルト１７、パッド１４と共に重縫合されている。また、腿用ベルト１７は長手方向の一端をベルト１１、腿用ベルト１６、パッド１４と共に重縫合されている。
【００１８】
図２は、腿用ベルト１７が差込プレート２２及びバックル把持金具２３に挿通された状態を示す正面図及び側面の断面図である。図１(ａ)、図１(ｂ)及び図２に示すように、腿用ベルト１７の長手方向の他端は、差込プレート２２の角穴２２１に挿通された後、バックル把持金具２３の一方の長孔２３１に挿通されて折り返され、バックル把持金具２３の他方の長孔２３２に挿通され、再び差込プレート２２の角穴２２１に挿通されている。
【００１９】
上記差込プレート２２とバックル把持金具２３により、腿用ベルト１７の長さが調節可能であり、作業者は自分の腿部の体型に合わせて、装着時における腿用ベルト１７の長さを調節する。
【００２０】
図３は、腿用ベルト１６、１６と、腿用ベルト１７、１７がバックル２、２により連結された状態を示す正面図である。ここで、腿掛けベルト部１８は、腿用ベルト１６、１６と、腿用ベルト１７、１７とバックル２、２により構成される。図３に示すように、差込プレート２２端部の突起部分をバックル把持金具２３の挿入部分に差し込むことにより、バックル２が結合し、腿用ベルト１６と腿用ベルト１７が連結されて腿掛けベルト部１８を形成し、作業者の大腿部を巻き込むことができる。
【００２１】
上記ベルト１１、腿用ベルト１６、及び腿用ベルト１７の材質は、強度、耐久性及び取扱性より一般的にナイロン製のベルトが使用されている。また、強度、耐久性及び縫製時の作業性より、安全帯の胴ベルトと同様な厚さ、織り方及び硬さのものが使用されている。また、バックル２は金属製であり、取扱性より突起の少ない形状のものが使用されている。
【００２２】
図４(ａ)及び図４(ｂ)は、作業者が本発明の尻掛けベルト１を装着した状態を示す側面図及び正面図である。図４(ａ)に示すように、上記ベルト１１、腿用ベルト１６、及び腿用ベルト１７の重縫合部、並びにバックル２は、作業者が本発明の尻掛けベルト１を装着したとき、作業者の臀部と接触する。また、ベルトの縫合において、複数のベルトを縫製したベルト重縫合部は非常に厚く硬くなり折り曲がらないものである。このベルト重縫合部の厚く硬くなった部分が作業者の体重の加わる臀部等に接触したとき、装着性は非常に悪いものである。また、バックルのような金具が作業者の体重の加わる臀部等に接触する場合においても、同様に装着性が悪いものである。
【００２３】
そこで本発明の尻掛けベルト１は、上記ベルト１１、腿用ベルト１６、及び腿用ベルト１７の重縫合部に、更にパッド１４を縫着固定している。このように、ベルト１１、腿用ベルト１６、及び腿用ベルト１７の重縫合部、並びに金属製のバックル２と、作業者の臀部との間に、クッション材であるパッド１４を介在させることにより、装着性が向上し、長時間作業等においても快適に作業を行うことができる。また、パッド１４を縫着して固定することにより、パッドの移動がなく、常時作業者の臀部に当たり、装着性を向上している。
【００２４】
図６は、作業者が従来の尻掛けベルト３１を装着した状態を示す側面図である。図６に示すように、柱上安全帯３は作業者の腰部に巻かれ、尻掛けベルト３１は作業者の臀部に位置して使用される。この状態で作業時に上方の構築物を抱き込んだランヤード３３によりＤ環３２４を介し腰部に巻いた胴ベルト部３２が引かれたとき、胴ベルト部３２が胸の方へずれ上がる現象が生じる。
【００２５】
図４(ａ)及び図４(ｂ)に示すように、本発明の尻掛けベルト１は作業者の大腿部を巻き込んでおり、作業時に上方の構築物を抱き込んだランヤード３３によりＤ環３２４を介し腰部に巻いた胴ベルト部３２が引かれたとき、胴ベルト部３２が胸の方へずれ上がる現象が生じない。従って、本発明の尻掛けベルト１を使用することにより、作業者はより安全に作業が行える。
【００２６】
また、本発明の尻掛けベルト１が作業者の大腿部を巻き込むことにより、ハーネス型安全帯が、万が一の落下時の衝撃荷重を腰と両足の大腿部に分散させ人体へのダメージを低減できるように、万が一の落下時の衝撃荷重を腰と両足の大腿部に分散させる効果がある。従って、本発明の尻掛けベルト１を使用することにより、作業時の安全性が向上する。
【００２７】
また、本発明の尻掛けベルト１を使用することにより、作業者がランヤード３３に体重を預けた場合の体重を胴ベルト部３２と尻掛けベルト１に分散させ、体重の腰部への局部集中を回避して、楽に作業が行える。かつ、作業中に尻掛けベルト３１への体重の付加と解除を繰り返すとき、尻掛けベルト１と臀部との接触部分のずれが防止できる。従って、本発明の尻掛けベルト１を使用することにより、柱上安全帯３の装着性が向上する。
【００２８】
上記実施例において、バックル２はワンタッチ式のものを使用した場合について説明した。しかし、上記の例は一例であり、バックルのタイプは限定されるものではない。例えば、ベルトの端部を挿入するタイプであってもよい。
【符号の説明】
【００２９】
１  尻掛けベルト
１１  ベルト
１２  調節金具
１２１  ベルト連結金具
１３  尻掛け用フック
１４  パッド
１５  縫製糸
１６  腿用ベルト
１７  腿用ベルト
１８  腿掛けベルト部
２  バックル
２１  バックル本体
２２  差込プレート
２２１  角穴
２３  バックル把持金具
２３１  長孔
２３２  長孔
３  柱上安全帯
３１  尻掛けベルト（従来品）
３２  胴ベルト部
３２１  リング
３２２  バックル
３２３  ベルト
３２４  Ｄ環
３３  ランヤード
３３１  ロープ
３３２  フック
３３３  伸縮調節器
【図１】
2011024838.tif 000003
【図２】
2011024838.tif 000004
【図３】
2011024838.tif 000005
【図４】
2011024838.tif 000006
【図５】
2011024838.tif 000007
【図６】
2011024838.tif 000008